(57)【要約】    【課題】  消費電力を増大させずに絞り駆動レバーが当接部との間で発生するバウンドを抑制することができるカメラの絞り制御装置およびカメラを提供する。    【解決手段】  撮影終了後の絞りの開放側復帰時、絞り停止レバー２９、すなわち絞りマグネットＭＧ２がリセットされると、絞り開放位置へ向かって左旋する絞りレバー１８の回動にともなって、ラチェットギヤ２３は左旋を開始する。この時、フォトカプラ２７で発生するパルス数が、絞り込み動作でラチェットギヤ２３を停止させたパルス数と同じ計数値となると、絞りマグネットＭＧ２に電圧が印加されて、アーマチャ２８が開放され。この結果、絞り込み動作と同様に、バネ３０による左旋力により絞り停止レバー２９が左旋し、係合部２９ｃがラチェットギヤ車２３ｄに係合してラチェットギヤ２３の回転を停止させる。その後、絞り停止レバー２９は、円板４２の回転が進行することで再びリセットされる。【選択図】      図２
2005202214.tif 000002
【特許請求の範囲】
【請求項１】
レンズ絞りを初期値に設定する初期位置から前記レンズ絞りを制御値に設定する制御位置へ変化させる絞り連動手段と、
前記絞り連動手段が初期位置から制御位置まで作動したこと、および前記制御位置から前記初期位置まで復帰したことをそれぞれ検出する検出手段と、
非通電時には、アーマチャが待機位置まで移動するとそのアーマチャを吸着保持するとともに、通電時には、前記吸着保持されているアーマチャを制限位置へ開放する吸着・開放手段と、
前記検出手段により前記絞り連動手段が初期位置から制御位置まで作動したこと、および前記制御位置から前記初期位置まで復帰したことがそれぞれ検出されるのに応じて、前記吸着・開放手段へ通電して前記アーマチャを前記制限位置へ開放駆動して前記絞り連動手段の作動に制限をかける絞り停止手段と、
前記絞り停止手段によって前記絞り連動手段が前記初期位置で制限された後、前記アーマチャを前記待機位置へ移動させて前記吸着・開放手段で吸着保持することにより前記絞り停止手段による前記絞り連動手段の制限を解除する解除手段とを備えることを特徴とするカメラの絞り制御装置。
【請求項２】
請求項１に記載のカメラの絞り制御装置において、
前記制御位置から前記初期位置まで復帰した前記絞り連動手段の作動に制限をかけるか否かを判断する判断手段をさらに備え、
前記絞り停止手段は、前記判断手段が前記制御位置から前記初期位置まで復帰した前記絞り連動手段の作動に制限をかけると判断した場合にのみ、前記絞り連動手段を前記初期位置で制限することを特徴とするカメラの絞り制御装置。
【請求項３】
請求項２に記載のカメラの絞り制御装置において、
前記判断手段は、前記レンズ絞りを制御値に設定する前記絞り連動手段の作動量がしきい値以上の場合、もしくは連写時に、前記絞り連動手段を前記初期位置で制限すると判断することを特徴とするカメラの絞り制御装置。
【請求項４】
請求項３に記載のカメラの絞り制御装置において、
前記しきい値は、カメラに装着されたレンズの種類に応じて設定されることを特徴とするカメラの絞り制御装置。
【請求項５】
請求項１〜４のいずれかの項に記載の絞り制御装置を備えることを特徴とするカメラ。
【発明の詳細な説明】
【技術分野】
【０００１】
本発明は、レンズ絞りを駆動するカメラの絞り制御装置に関する。
【背景技術】
【０００２】
カメラ等に使用される絞り制御装置では、レンズに設けられた絞りを駆動するカメラ側の絞り駆動レバーの駆動量をギヤ列により増速・拡大し、ギヤの回転数としてフォトカプラ等により検出する。そしてこの検出値が所定の値となったとき、ギヤ列に対して制動をかけて当該ギヤ列とギヤ列に連動している絞り駆動レバーを停止させることで所望の絞り値を得る。この絞り制御装置では、増速されたギヤ列の慣性モーメントのため、撮影終了後の絞りの開放側復帰時、ギヤ列に連動している絞り駆動レバーが絞り駆動レバーを開放側で制限する部材と衝突して、当該当接部との間でバウンドが発生する。この問題を解決するために、押し出し型プランジャを用いたギヤ列の制動手段（絞り停止手段）によって、絞りの開放側復帰とほぼ同時にギヤ列を制動する絞り制御装置が知られている。この絞り停止手段は、押し出し型プランジャへの通電を停止したときにギヤ列を制動し、押し出し型プランジャへ通電したときにギヤ列の制動を解除する（特許文献１参照）。
【０００３】
【特許文献１】特開平１１−２８２０４３号公報
【発明の開示】
【発明が解決しようとする課題】
【０００４】
しかし、絞り停止手段に押し出し型プランジャを用いた場合、絞り込み動作中および復帰動作中は、プランジャに通電し続けなければならないので消費電力が大幅に増加してしまう。
【課題を解決するための手段】
【０００５】
（１）  請求項１の発明によるカメラの絞り制御装置は、レンズ絞りを初期値に設定する初期位置からレンズ絞りを制御値に設定する制御位置へ変化させる絞り連動手段と、絞り連動手段が初期位置から制御位置まで作動したこと、および制御位置から初期位置まで復帰したことをそれぞれ検出する検出手段と、非通電時には、アーマチャが待機位置まで移動するとそのアーマチャを吸着保持するとともに、通電時には、吸着保持されているアーマチャを制限位置へ開放する吸着・開放手段と、検出手段により絞り連動手段が初期位置から制御位置まで作動したこと、および制御位置から初期位置まで復帰したことがそれぞれ検出されるのに応じて、吸着・開放手段へ通電してアーマチャを制限位置へ開放駆動して絞り連動手段の作動に制限をかける絞り停止手段と、絞り停止手段によって絞り連動手段が初期位置で制限された後、アーマチャを待機位置へ移動させて吸着・開放手段で吸着保持することにより絞り停止手段による絞り連動手段の制限を解除する解除手段とを備えることを特徴とする。
（２）  請求項２の発明は、請求項１に記載のカメラの絞り制御装置において、制御位置から初期位置まで復帰した絞り連動手段の作動に制限をかけるか否かを判断する判断手段をさらに備え、絞り停止手段は、判断手段が制御位置から初期位置まで復帰した絞り連動手段の作動に制限をかけると判断した場合にのみ、絞り連動手段を初期位置で制限することを特徴とする。
（３）  請求項３の発明は、請求項２に記載のカメラの絞り制御装置において、判断手段は、レンズ絞りを制御値に設定する絞り連動手段の作動量がしきい値以上の場合、もしくは連写時に、絞り連動手段を初期位置で制限すると判断することを特徴とする。
（４）  請求項４の発明は、請求項３に記載のカメラの絞り制御装置において、しきい値は、カメラに装着されたレンズの種類に応じて設定されることを特徴とする。
（５）  請求項５の発明によるカメラは、請求項１〜４のいずれかの項に記載の絞り制御装置を備えることを特徴とする。
【発明の効果】
【０００６】
本発明によれば、絞り連動手段が制御位置から初期位置まで復帰したことを検出して、絞り停止手段によって絞り連動手段の作動に制限をかけ、その後、絞り停止手段による絞り連動手段の制限を解除するように構成した。これにより、従来の絞り制御装置のように、絞り込み動作中および復帰動作中にプランジャへ通電し続ける必要がないので、消費電力を大幅に削減できる。
【発明を実施するための最良の形態】
【０００７】
―――第１の実施の形態―――
図１〜９を参照して、本発明によるカメラの絞り制御装置の第１の実施の形態を説明する。図１は、本発明によるカメラの絞り制御装置を搭載した一眼レフカメラボディとカメラボディに装着する撮影レンズを示した斜視図である。カメラボディに撮影レンズ１０１を装着すると、レンズ側絞りレバー４６とカメラ側の絞りレバー１８とが当接する。後述するように、レンズ側絞りレバー４６は、カメラ側の絞りレバー１８により駆動されて所定の絞り値に制御される。
【０００８】
撮影レンズ１０１は、開放Ｆ値等のレンズに関する各種情報（レンズ情報）が記憶されたＲＯＭ（不図示）と、レンズ情報をカメラ側に出力するための接点１０２とを備えている。撮影レンズ１０１をカメラボディのレンズマウント１２０に装着すると、接点１０２とカメラボディの検出器１２１の接点とが接続される。レンズ情報は、カメラボディの検出器１２１を介して、カメラボディに設けられた演算回路１３０へ入力される。演算回路１３０は、入力されたレンズ情報、操作信号および各種センサからの信号に基づいて所定の演算を行い、各部を制御する。
【０００９】
演算回路１３０は、シャッタ先幕とシャッタ後幕との走行状態をそれぞれ制御することにより、所定の露光時間を与えるものである。演算回路１３０には、撮影前にＯＮ、後幕走行に関連してＯＦＦとなる後幕スイッチＳＷ３が接続されている。この後幕スイッチＳＷ３がＯＦＦすることで、撮影動作の終了信号が得られる。
【００１０】
図２は、カメラボディ内部の絞り制御装置の斜視図である。絞りレバー１８は、軸Ｘ１に対して回動可能に支持され、その一端がレンズ側絞りレバー４６に当接している。絞りレバー１８に植設されたピン１８ａは、バネ１７により押されて絞りレバー１８に左旋力が与えられ、軸Ｘ１を中心に回動可能に支持された後述する絞り連動レバー１５の腕１５ｆに係止される。
【００１１】
絞りレバー１８の他端に設けられた扇形ギヤ１８ｂは、増速ギヤ２２の小ギヤ部２２ａと噛合している。増速ギヤ２２の大ギヤ部２２ｂはラチェットギヤ２３の小ギヤ部２３ｃと噛合している。すなわち、扇形ギヤ１８ｂ、増速ギヤ２２、およびラチェットギヤ２３により増速ギヤ列が構成されている。ラチェットギヤ２３のラチェットギヤ車２３ｄには小穴２３ｂが複数設けられ、このラチェットギヤ車２３ｄを挟み込むようにフォトカプラ２７が設けられている。
【００１２】
絞り停止レバー２９は、軸Ｘ２に回動可能に支持されて、一端にはラチェットギヤ車２３ｄに係合するように係合部２９ｃが設けられ、他端側には絞りマグネットＭＧ２に吸着されるアーマチャ２８が設けられている。この絞り停止レバー２９は、バネ３０により左旋力が与えられている。絞り停止レバー２９の他端の当接部２９ｂには、後述する絞りマグネット第２リセットレバー４９が下降して当接する。
【００１３】
絞り連動レバー１５には、バネ１９により右旋力が与えられている。軸Ｘ３に回動可能に支持されたスタートレバー３１の切り欠き部３１ｂにピン１５ｂが係合して、絞り連動レバー１５の右旋回が停止する。スタートレバー３１には、バネ３２により左旋力が与えられている。上述のようにスタートレバー３１の一端には切り欠き部３１ｂが設けられ、他端には当接部３１ｃが設けられている。
【００１４】
レリーズレバー３３は、軸Ｘ４に回動可能に支持されて、バネ３５により左旋力が与えられている。レリーズレバー３３の一端側にはスタートレバー３１の当接部３１ｃに当接可能な当接部３３ｂが設けられ、更にその先端である端部３３ｃは、後述するレリーズマグネットリセットレバー３６に当接可能である。レリーズレバー３３の他端側にはレリーズマグネットＭＧ１に吸着されるアーマチャ３４が設けられている。
【００１５】
モータＭにより駆動されるギヤ４４には軸４４ｂが設けられている。この軸４４ｂの一端にはカム４５が、他端には円板４２が設けられ、カム４５と円板４２はギヤ４４とともに一体的に回動する。ギヤ４４にはピン４４ａが植設されており、ギヤ４４が回転してピン４４ａがスイッチＳＷ２の一方の接点片に当接するとスイッチＳＷ２の接点が離間されて、スイッチＳＷ２をＯＦＦにする。このスイッチＳＷ２は、モータＭに連動するギヤ４４が所定の位相にあるか否かを検出する検出手段となる。
【００１６】
すなわち、ギヤ４４が左回転方向に駆動されると、ピン４４ａは、スイッチＳＷ２の一方の接点片をさらに押圧した後、一方の接点片との係合が解かれるので、スイッチＳＷ２は接点が接触してＯＮとなる。引き続きモータＭが作動してギヤ４４が１回転されると、ピン４４ａは再びスイッチＳＷ２の一方の接点片に当接してスイッチＳＷ２の接点を離間させる。このときスイッチＳＷ２が再びＯＦＦとなり、これを演算回路１３０で検出してモータＭの作動を停止させている。つまりモータＭは、ギヤ４４の１回転ごとにギヤ４４が所定の位相で停止するように制御される。
【００１７】
カム４５は、カム４５が回転するにつれてその半径が大きくなるように設計された、すなわち、図２においてｒ１＜ｒ２＜ｒ３であるカム面を有し、絞り連動レバー１５に設けられたローラ１５ｄを介してカムフォロアとしての絞り連動レバー１５を駆動する。カム４５にはピン４５ａが植設されており、後述するリセットレバー３８に当接してこれを回動させる。円板４２には２本のピン４２ａ，４２ｂが植設されており、後述する絞りマグネット第１リセットレバー４８に当接してこれを左回転方向に回動させる。なお、円板４２は、絞り制御装置に従来からある部品であり、ピンが２本ある点で、従来の円板と異なる。
【００１８】
リセットレバー３８は、軸Ｘ５に回動可能に支持されて、リセットレバー３８の一端３８ｂに係止しているバネ４０により左旋力が与えられている。このリセットレバー３８の一端３８ｂは、軸Ｘ５に回動可能に支持されたレリーズマグネットリセットレバー３６の上部に当接するよう略直角に折り曲げられている。リセットレバー３８の下端３８ｃは、回転したカム４５のピン４５ａが当接するようになっている。リセットレバー３８の下端３８ｃにカム４５のピン４５ａが当接すると、リセットレバー３８はバネ４０の左旋力に抗して右旋回する。
【００１９】
レリーズマグネットリセットレバー３６は、上述のように軸Ｘ５に回動可能に支持されて、バネ３７により付与される右旋力によって、リセットレバー３８の略直角に折り曲げられた一端３８ｂへ係止されている。レリーズマグネットリセットレバー３６が右旋すると、レリーズマグネットリセットレバー３６の先端３６ｂは、レリーズレバー３３の端部３３ｃと当接して、レリーズレバー３３を右旋させる。これにより、レリーズレバー３３に設けられたアーマチャ３４がレリーズマグネットＭＧ１に吸着される。
【００２０】
絞りマグネット第１リセットレバー４８および絞りマグネット第２リセットレバー４９は、軸Ｘ６回動可能に支持されている。絞りマグネット第１リセットレバー４８は、一端側に植設されたピン４８ａに係止しているバネ５３により右旋力が与えられ、固定ピン５４に当接している。絞りマグネット第２リセットレバー４９は、絞りマグネット第１リセットレバー４８の中央付近に植設されたピン４８ｂに係止しているバネ５０により左旋力が与えられ、ピン４９ａが絞りマグネット第１リセットレバー４８の他端側に当接している。
【００２１】
後述するように、円板４２が回転してピン４２ａ，４２ｂが絞りマグネット第１リセットレバー４８を左回転方向に押し上げると、絞りマグネット第１リセットレバー４８とともに左旋される絞りマグネット第２リセットレバー４９の先端４９ｂが絞り停止レバー２９の当接部２９ｂに当接して絞り停止レバー２９を右旋させる。これにより、絞り停止レバー２９に設けられたアーマチャ２８が絞りマグネットＭＧ２に吸着される。図２に示すように、絞り制御装置の各部の回転軸は、レリーズレバー３５を除き、すべて同一方向ＤＲに配向されている。
【００２２】
―――動作説明―――
上記構成のカメラの絞り制御装置の動作について、図２を参照して以下に説明する。図２は、撮影動作開始前の絞り制御装置の状態（待機状態）を示している。すなわち、撮影開始前の状態では、ピン１５ｂがスタートレバー３１の切り欠き部３１ｂによって係止されることで、絞り連動レバー１５はバネ１９による右旋力に抗して停止している。絞り連動レバー１５に従動する絞りレバー１８は、レンズ側絞りレバー４６をバネ４７に抗して持ち上げている。このとき、レンズの絞りは開放状態である。
【００２３】
絞り停止レバー２９は、アーマチャ２８が絞りマグネットＭＧ２により吸着されているので、バネ３０に抗して係合部２９ｃとラチェットギヤ車２３ｄとの係合が解除された姿勢である。レリーズレバー３３は、アーマチャ３４がレリーズマグネットＭＧ１により吸着されているので、バネ３５に抗して当接部３３ｂとスタートレバー３１の当接部３１ｃとが離間した状態である。
【００２４】
撮影動作開始前、モータＭは停止している。モータＭで駆動されるギヤ４４に植設されたピン４４ａは、スイッチＳＷ２の一方の接点片に当接してスイッチＳＷ２の接点を離間させている。すなわち、撮影開始前の状態では、スイッチＳＷ２はＯＦＦである。カム４５は、ローラ１５ｄを押し上げて絞り連動レバー１５を左旋させた後、ローラ１５ｄから離間し、絞り連動レバー１５の動作を制限しない位置で停止している。このとき、カム４５に植設されているピン４５ａは、リセットレバー３８の下端３８ｃに当接する直前の位置で停止している。円板４２は、絞りマグネット第１リセットレバー４８からピン４２ａ，４２ｂが離間した位置で停止している。
【００２５】
カメラボディの不図示のシャッターボタンが押圧されてレリーズ信号が入力されると、アーマチャ３４の開放に必要な所定時間だけレリーズマグネットＭＧ１に電圧が印加され、アーマチャ３４を開放する。この結果、バネ３５による左旋力によりレリーズレバー３３が左旋し、レリーズレバー３３の当接部３３ｂでスタートレバー３１の当接部３１ｃを押し下げる。スタートレバー３１の当接部３１ｃが押し下げられて、スタートレバー３１が右旋され、切り欠き部３１ｂと絞り連動レバー１５のピン１５ｂとの係止が解除されると、絞り連動レバー１５は、バネ１９の右旋力により右旋を開始する。これにより、絞り連動レバー１５の腕１５ｆが絞りレバー１８のピン１８ａを軸Ｘ１に対して右旋させるので、絞りレバー１８は右旋されて、絞り込み動作が開始される。すなわち、絞りレバー１８の右旋により、レンズ側絞りレバー４６がバネ４７により動作して、レンズの絞りを開放状態から絞り込む。
【００２６】
絞りレバー１８の右旋により、小ギヤ部２２ａで扇形ギヤ１８ｂに噛合する増速ギヤ２２が左回転し、小ギヤ部２３ｃで増速ギヤ２２の大ギヤ部２２ｂに噛合するラチェットギヤ２３が増速ギヤ２２により増速されて右回転する。ラチェットギヤ２３の回転数は、ラチェットギヤ車２３に設けられた小穴２３ｂがフォトカプラ２７を通過することで発生するパルスを演算回路１３０によって計測して検出する。これにより、絞りレバー１８の駆動量、すなわちレンズの絞り値は、フォトカプラ２７で発生するパルス数で計測できる。
【００２７】
演算回路１３０によって計測されたフォトカプラ２７で発生するパルス数が、所望の絞り値に相当する計数値になると、演算回路１３０からアーマチャ２８の開放に必要な所定時間だけ絞りマグネットＭＧ２に電圧が印加され、アーマチャ２８を開放する。この結果、バネ３０による左旋力により絞り停止レバー２９が左旋し、係合部２９ｃがラチェットギヤ車２３ｄに係合してラチェットギヤ２３の回転を停止させる。
【００２８】
上述の絞り制御装置の動作とは別に、カメラボディに内蔵された不図示のミラーが撮影光路から待避するミラーアップの動作が実行される。次いで、周知の装置により不図示のシャッタが作動して撮影動作が行われ、引き続き各部のリセット動作が行われる。以下、リセット動作について説明する。
【００２９】
リセット動作では、モータＭが作動してギヤ４４が左回転方向に駆動される。上述したように、ギヤ４４は１回転すると再び停止する。このギヤ４４が１回転する間に、以下に述べる各部のリセット動作が行われる。まず、レリーズマグネットＭＧ１のリセットについて説明する。ギヤ４４とともにカム４５が左回転方向に回転すると、ピン４５ａがリセットレバー３８の下端３８ｃに当接してリセットレバー３８を右旋させ、バネ３７を介してレリーズマグネットリセットレバー３６も一体的に右旋させる。レバー先端３６ｂは、レリーズマグネットリセットレバー３６の右旋により、レリーズレバー３３の端部３３ｃに当接してこれを押し上げ、アーマチャ３４がレリーズマグネットＭＧ１に吸着されるまでレリーズレバー３３を右旋させる。
【００３０】
リセットレバー３８が右旋した際にバネ３７によってレリーズマグネットリセットレバー３６の先端３６ｂがレリーズレバー３３の端部３３ｃを押し上げる力は、バネ３５によってレリーズレバー３３の端部３３ｃを押し下げる力よりも大となるようになっている。アーマチャ３４がレリーズマグネットＭＧ１に吸着された後もリセットレバー３８は右旋するが、このときにはバネ３７が撓むことで、リセットレバー３８の右旋量（オーバーチャージ分）を吸収する。以上の動作により、レリーズマグネットＭＧ１のリセットが完了する。
【００３１】
次に、絞りマグネットＭＧ２のリセットについて説明する。円板４２が回転してピン４２ａが絞りマグネット第１リセットレバー４８を左回転方向に押し上げると、バネ５０による付勢力によって絞りマグネット第２リセットレバー４９が絞りマグネット第１リセットレバー４８とともに左旋される。絞りマグネット第２リセットレバー４９が左旋されると絞りマグネット第２リセットレバー４９の先端４９ｂは、ラチェットギヤ車２３ｄと係合している絞り停止レバー２９の当接部２９ｂに当接し、これを押し下げてアーマチャ２８が絞りマグネットＭＧ２に吸着されるまで絞り停止レバー２９を右旋させる。
【００３２】
絞りマグネット第１リセットレバー４８が左旋した際にバネ５０によって絞りマグネット第２リセットレバー４９を介して絞り停止レバー２９の当接部２９ｂを押し下げる力は、バネ３０によって絞り停止レバー２９の当接部２９ｂを押し上げる力よりも大となるようになっている。アーマチャ２８が絞りマグネットＭＧ２に吸着された後も絞りマグネット第１リセットレバー４８は右旋するが、このときにはバネ５０が撓むことで絞りマグネット第１リセットレバー４８の左旋量（オーバーチャージ分）を吸収する。以上の動作により、絞りマグネットＭＧ２がリセットされる。
【００３３】
なお、後述するように、リセット動作において、演算回路１３０から絞りマグネットＭＧ２に電圧が再び印加されて、アーマチャ２８が再び開放される。したがって、絞りマグネットＭＧ２を再びリセットする必要がある。円板４２の回転が進行すると、今度はピン４２ｂが絞りマグネット第１リセットレバー４８を左回転方向に押し上げるので、上述の説明と同様に、絞りマグネットＭＧ２が再びリセットされる。以上の動作により、絞りマグネットＭＧ２のリセットが完了する。ピン４２ａおよびピン４２ｂによる２回の絞りマグネットＭＧ２のリセット動作と各部との関係は、後に詳述する。
【００３４】
次に、絞りのリセット動作である絞り開放動作について説明する。カム４５の左回転によりローラ１５ｄに最も近いカム４５のカム面は、カムの径が徐々に大きくなる、すなわちｒ１→ｒ２→ｒ３と変化していくので、ついにはローラ１５ｄに当接し、ローラ１５ｄを介して絞り連動レバー１５を左旋させる。なお、カム４５の形状は、上述したレリーズマグネットＭＧ１のリセット動作が終了し、絞りマグネットＭＧ２の最初のリセット動作が終了した後にカム４５がローラに接するよう設計されている。
【００３５】
カム４５によって、絞り連動レバー１５は、ピン１５ｂがスタートレバー３１の切り欠き部３１ｂと係合するまで左旋される。絞り連動レバー１５の左旋により、バネ１７は絞りレバー１８のピン１８ａを押圧して、絞りレバー１８を左旋させる。この絞りレバー１８の左旋により、レンズ側絞りレバー４６は押し上げられて、レンズの絞りが開放される。また、絞りレバー１８の左旋により、扇形ギヤ１８ｂが増速ギヤを右回転させ、ラチェットギヤ２３を左回転させる。絞りレバー１８が左旋されて初期位置である絞り開放位置に戻ると、後述するように、絞り停止レバー２９によって、ラチェットギヤ２３の回転が停止されて、絞りレバー１８の作動が制限される。以上の動作により、絞り開放動作が完了する。すなわちリセット動作が完了する。
【００３６】
上述の絞り開放動作において、絞り連動レバー１５の左旋により、バネ１７が絞りレバー１８のピン１８ａを押圧して、絞りレバー１８を左旋させるが、絞り連動レバー１５の左旋に絞りレバー１８の左旋が追いつかず、ピン１８ａが腕１５ｆから離間した後、衝突が起きる。ピン１８ａと腕１５ｆとの衝突後、ピン１８ａと腕１５ｆとがバウンドするのを防止するため、本実施の形態では、次のように、絞り停止レバー２９によって、ラチェットギヤ２３の回転を停止させる。
【００３７】
絞り開放動作において、絞り停止レバー２９、すなわち絞りマグネットＭＧ２がリセットされると、初期位置である絞り開放位置へ向かって左旋する絞りレバー１８の回動にともなって、ラチェットギヤ２３は左旋を開始する。この時、フォトカプラ２７で発生するパルス数を演算回路１３０によって計測して検出する。演算回路１３０によって計測されたフォトカプラ２７で発生するパルス数が、絞り込み動作でラチェットギヤ２３を停止させたパルス数と同じ計数値となると、演算回路１３０は、絞りマグネットＭＧ２に電圧を印加して、アーマチャ２８を開放する。この結果、絞り込み動作と同様に、バネ３０による左旋力により絞り停止レバー２９が左旋し、係合部２９ｃがラチェットギヤ車２３ｄに係合してラチェットギヤ２３の回転を停止させる。これにより、絞りレバー１８の左旋が初期位置である絞り開放位置で停止されてその作動が制限されるので、ピン１８ａと腕１５ｆとがバウンドするのを防止できる。
【００３８】
上述したように、ピン１８ａと腕１５ｆとのバウンドを防止するために絞りレバー１８の作動を制限した絞り停止レバー２９は、円板４２の回転が進行することで再びリセットされる。したがって、作動が制限された絞りレバー１８は、植設されたピン１８ａがバネ１７により押されて絞り連動レバー１５の腕１５ｆに係止された状態となるので、絞り開放位置に正確に復帰できる。
【００３９】
図３〜８は、ラチェットギヤ２３を係止した絞り停止レバー２９をリセットするための機構の動作をシーケンシャルに示す図である。すなわち、図３〜８は、円板４２の回転位相と、絞りマグネット第１リセットレバー４８および絞りマグネット第２リセットレバー４９の動作位置との関係を示す図である。図３は、撮影動作開始前（待機状態）の状態であり、円板４２は、各ピン４２ａ，４２ｂがともに絞りマグネット第１リセットレバー４８から離れ、ピン４２ａが絞りマグネット第１リセットレバー４８に当接する直前の位相で停止している。
【００４０】
絞りマグネット第１リセットレバー４８は、その一端がバネ５３による右旋力によって固定ピン５４に当接している。絞りマグネット第２リセットレバー４９は、絞りマグネット第１リセットレバー４８の中央付近に植設されたピン４８ｂに係止しているバネ５０により左旋力が与えられ、ピン４９ａが絞りマグネット第１リセットレバー４８の他端側に当接している。
【００４１】
絞りマグネット第２リセットレバー４９の先端４９ｂは、絞り停止レバー２９の当接部２９ｂから離間している。絞り停止レバー２９は、アーマチャ２８が絞りマグネットＭＧ２により吸着されているので、バネ３０に抗して係合部２９ｃとラチェットギヤ車２３ｄとの係合が解除された姿勢である。
【００４２】
図４は、レリーズ信号が入力された後、所定の絞り値で、絞り停止レバー２９がラチェットギヤ２３の回転を停止させた状態を示す。絞りマグネットＭＧ２に吸着されていたアーマチャ２８が開放されて、バネ３０による左旋力により絞り停止レバー２９が左旋し、係合部２９ｃがラチェットギヤ車２３ｄに係合している。すなわち、ラチェットギヤ２３に従動する絞りレバー１８は、レンズ絞りが所定の絞り値となるように駆動された後、その作動に制限がかけられた状態である。
【００４３】
図５は、リセット動作開始後の各部の動作を示すものである。円板４２が左回転方向に駆動されてピン４２ａが絞りマグネット第１リセットレバー４８に当接して、絞りマグネット第１リセットレバー４８を左旋させる。このとき、絞りマグネット第２リセットレバー４９も軸Ｘ６を中心に左旋されるので、その先端４９ｂは、ラチェットギヤ車２３ｄと係合している絞り停止レバー２９の当接部２９ｂに当接し、これを押し下げてアーマチャ２８が絞りマグネットＭＧ２に吸着されるまで絞り停止レバー２９を右旋させる。これにより、係合部２９ｃとラチェットギヤ車２３ｄとの係合、すなわち、ラチェットギヤ２３に従動する絞りレバー１８の作動制限が解除される。
【００４４】
図６は、図５に示す状態から円板４２の左旋が進行して、ピン４２ａが絞りマグネット第１リセットレバー４８から離れて、絞りマグネットＭＧ２のリセット動作が終了した状態である。図３に示した待機状態と同様に、絞りマグネット第１リセットレバー４８の一端は、固定ピン５４に当接し、絞りマグネット第２リセットレバー４９のピン４９ａは、絞りマグネット第１リセットレバー４８の他端側に当接して、先端４９ｂが絞り停止レバー２９の当接部２９ｂから離間する。絞り停止レバー２９は、アーマチャ２８が絞りマグネットＭＧ２により吸着されているので、バネ３０に抗して係合部２９ｃとラチェットギヤ車２３ｄとの係合が解除された姿勢である。
【００４５】
図７は、図６に示す状態から円板４２の左旋が進行した状態であり、再び係合部２９ｃがラチェットギヤ車２３ｄに係合した状態を示す。すなわち、リセット動作の過程で、絞りレバー１８の左旋が初期位置である絞り開放位置で停止されてその作動が制限された状態である。
【００４６】
図８は、図７に示す状態から円板４２の左旋が進行して、ピン４２ｂが絞りマグネット第１リセットレバー４８に当接して、絞りマグネット第１リセットレバー４８を左旋させた状態を示す。絞りマグネット第１リセットレバー４８および絞りマグネット第２リセットレバー４９の状態は、図５に示した状態と同じであるので、説明を省略する。これにより、係合部２９ｃとラチェットギヤ車２３ｄとの係合、すなわち、ラチェットギヤ２３に従動する絞りレバー１８の作動制限が再び解除される。
【００４７】
図８に示す状態から円板４２の左旋が進行して、ピン４２ｂが絞りマグネット第１リセットレバー４８から離れると、絞りマグネットＭＧ２のリセット動作が終了する。そして、リセット動作開始から円板４２が左回転方向に１回転だけ駆動されて、上述した動作がすべて終了すると、絞り制御装置は、図２，３に示した撮影動作開始前の状態に復帰する。
【００４８】
―――フローチャートの説明―――
図９は、上述の動作をソフトウェアとして実現するためのフローチャートを示している。不図示の電源スイッチがＯＮとなると、図９に示す処理を行うプログラムが起動されて演算回路１３０で実行される。ステップＳ１０１において、不図示の測光装置から入力される検出信号によって被写体輝度を算出し（測光を行い）、ステップＳ１０３へ進む。ステップＳ１０３において、公知の露出演算処理により制御シャッタ速度や制御絞り値を算出してステップＳ１０５へ進む。
【００４９】
ステップＳ１０５において、不図示のレリーズスイッチが操作されたか否かを判断する。ステップＳ１０５が否定判断されるとステップＳ１０１へ戻る。ステップＳ１０５が肯定判定されるとステップＳ１０７へ進み、タイマーによる計時を開始してステップＳ１０９へ進む。ステップＳ１０９において、レリーズマグネットＭＧ１に電圧を印加してステップＳ１１１へ進む。ステップＳ１１１において、フォトカプラ２７で発生するパルス数が、ステップＳ１０３で算出した制御絞り値に相当する計数値Ｎに達するまで待機する。
【００５０】
ステップＳ１１１が肯定判断されるとステップＳ１１３へ進み、絞りマグネットＭＧ２に電圧を印加してステップＳ１１５へ進む。ステップＳ１１５において、ステップＳ１０７で計時を開始したタイマーがタイムアップするまで待機する。ステップＳ１１５が肯定判断されるとステップＳ１１７へ進み、公知のシャッタ制御、すなわち、シャッタ先幕およびシャッタ後幕の走行制御によって露出動作を行ってステップＳ１１９へ進む。ステップＳ１１９において、後幕スイッチＳＷ３がＯＦＦとなるまで待機する。ステップＳ１１９が肯定判断されるとステップＳ１２１へ進み、モータＭに通電してステップＳ１２３へ進む。
【００５１】
ステップＳ１２３において、フォトカプラ２７で発生するパルス数が、ステップＳ１０３で算出した制御絞り値に相当する計数値Ｎに達するまで待機する。ステップＳ１２３が肯定判断されるとステップＳ１２５へ進み、絞りマグネットＭＧ２に電圧を印加してステップＳ１２７へ進む。ステップＳ１２７において、スイッチＳＷ２がＯＦＦになるまで待機する。ステップＳ１２７が肯定判断されるとステップＳ１２９へ進み、モータＭへの通電を停止してリターンする。
【００５２】
上述したカメラの絞り制御装置の第１の実施の形態では、次の作用効果を奏する。
（１）  絞り開放動作（リセット動作）の過程で、制御位置から初期位置まで復帰した絞りレバー１８に連動して回転するラチェットギヤ２３を絞り停止レバー２９によって停止させることで、絞りレバー１８の作動を制限する。そして、絞り制御装置のリセット動作でモータＭにより駆動される円板４２に連動して、絞り停止レバー２９をリセットするように構成した。したがって、撮影開始前の待機状態では、絞りレバー１８の作動は制限されていない。これにより、レリーズタイムラグを長くすることなく、ピン１８ａと腕１５ｆとの離間と衝突により生じるバウンドを防止できるので、撮影のコマ速を上げることができる。
【００５３】
（２）  撮影時にラチェットギヤ２３を係止した絞り停止レバー２９をリセットするために従来から設けられている機構を利用して制御位置から初期位置まで復帰した絞りレバー１８の作動を制限するために再びラチェットギヤ２３を係止した絞り停止レバー２９をリセットするように構成した。これにより、部品の僅かな変更とソフトウェア上の改良によって、ピン１８ａと腕１５ｆとの離間と衝突により生じるバウンドを防止できるので、低コストである。また、絞り停止手段に押し出し型プランジャを用いた場合のように、絞り込み動作中および復帰動作中にプランジャへ通電し続ける必要がないので、消費電力を大幅に削減できる。
【００５４】
（３）  従来の絞り制御装置のように、絞り停止手段に押し出し型プランジャを用いた場合、撮影開始前の待機状態では、絞り停止手段によって、ラチェットギヤが固定されてしまうので、レンズ側絞りレバーを初期位置に正確に復帰させるためには、固定されているラチェットギヤ２３と絞りレバー１８との間に別途部材を介在させて絞りレバー１８を回動可能とする必要があるので部品点数が増加してしまう。これに対して、第１の実施の形態の絞り制御装置では、撮影開始前の待機状態では、ピン１８ａと腕１５ｆとの離間と衝突により生じるバウンドを防止するために、絞りレバー１８の作動を制限した絞り停止レバー２９を、モータＭにより駆動される円板４２に連動してリセットするように構成した。したがって、絞りレバー１８の作動は制限されていないので、絞りレバー１８と当接するレンズ側絞りレバー４６の作動も制限されていない。これにより、部品点数を増やさなくてもレンズ側絞りレバー４６が初期位置に正確に復帰できる。
【００５５】
（４）  増速ギヤ列の最終段であるラチェットギヤ２３を係止することで、制御位置から初期位置まで復帰した絞りレバー１８の作動を制限するように構成した。これにより、効果的に絞りレバー１８の作動を制限できる。
（５）  絞り制御装置の各部の回転軸は、レリーズレバー３５を除き、すべて同一方向に配向されている。これにより、絞り制御装置をコンパクトにすることができる。
【００５６】
―――第２の実施の形態―――
図１０を参照して、本発明によるカメラの絞り制御装置の第２の実施の形態を説明する。以下の説明では、第１の実施の形態と同じ構成要素には同じ符号を付して相違点を主に説明する。第２の実施の形態の絞り制御装置の機器構成は、第１の実施の形態と同じである。
【００５７】
第２の実施の形態の絞り制御装置では、連写モード設定されている場合のみ、絞り開放動作において、絞り停止レバー２９によって、ラチェットギヤ２３の回転を停止させる。すなわち、連写モードに設定されていない場合には、第１の実施の形態の図５に示すように、絞り開放動作において、一旦絞り停止レバー２９をリセットした後は、演算回路１３０から絞りマグネットＭＧ２に電圧が印加されず、アーマチャ２８は絞りマグネットＭＧ２に吸着されたままである。
【００５８】
連写モード設定されていない場合、最初のコマの撮影の後に次のコマを撮影するまでに、時間的な余裕が十分あるため、ピン１８ａと腕１５ｆとの離間と衝突により生じるバウンドを早期に終息させる必要性に乏しい。したがって、連写モード設定されている場合にのみ、絞り開放動作において、絞り停止レバー２９によって、ラチェットギヤ２３の回転を停止させて、ピン１８ａと腕１５ｆとの離間と衝突により生じるバウンドを防止すればよい。
【００５９】
図１０は、上述の動作をソフトウェアとして実現するためのフローチャートを示している。不図示の電源スイッチがＯＮとなると、図１０に示す処理を行うプログラムが起動されて演算回路１３０で実行される。ステップＳ１０１からステップＳ１２１までは、第１の実施の形態で説明した図９と同じであるので、説明を省略する。
【００６０】
ステップＳ２０１において、不図示の撮影モード設定スイッチが連写モードに設定されているか否かを判断する。ステップＳ２０１が肯定判断されるとステップＳ１２３へ進む。ステップＳ２０１が否定判断されるとステップＳ１２７へ進む。ステップＳ１２３以降のステップについても第１の実施の形態で説明した図９と同じであるので、説明を省略する。
【００６１】
上述したカメラの絞り制御装置の第２の実施の形態では、第１の実施の形態の作用効果に加えて次の作用効果を奏する。
（１）  連写モード設定されている場合のみ、絞り開放動作において、絞り停止レバー２９によって、ラチェットギヤ２３の回転を停止させるように構成した。これにより、ピン１８ａと腕１５ｆとの離間と衝突により生じるバウンドを早期に終息させる必要性の乏しい１コマずつの撮影では、絞りマグネットＭＧ２に電圧を印加する回数を減らして消費電力を削減できる。
【００６２】
―――第３の実施の形態―――
図１１を参照して、本発明によるカメラの絞り制御装置の第３の実施の形態を説明する。以下の説明では、第１および第２の実施の形態と同じ構成要素には同じ符号を付して相違点を主に説明する。第３の実施の形態の絞り制御装置の機器構成は、第１および第２の実施の形態と同じである。
【００６３】
第３の実施の形態の絞り制御装置では、撮影時におけるレンズ絞りの絞り込み段数、すなわち、レンズ絞りの制御絞り値が、撮影レンズ１０１の種類に応じて設定されるしきい値以上の場合のみ、絞り開放動作において、絞り停止レバー２９によって、ラチェットギヤ２３の回転を停止させる。すなわち、レンズ絞りの制御絞り値がしきい値未満の場合には、第１の実施の形態の図５に示すように、絞り開放動作において、一旦絞り停止レバー２９をリセットした後は、演算回路１３０から絞りマグネットＭＧ２に電圧が印加されず、アーマチャ２８は絞りマグネットＭＧ２に吸着されたままである。
【００６４】
レンズ絞りの絞り込み段数、すなわち、レンズ絞りの制御絞り値が小さい場合、レンズの絞りの開放状態（初期位置）から制御絞り値となる制御位置までの、レンズ絞りおよび絞りレバー１８の移動量が少ないので、ピン１８ａと腕１５ｆとの離間と衝突により生じるバウンドも小さく、次のコマの撮影に悪影響を及ぼさない。したがって、レンズ絞りの絞り込み段数、すなわち、レンズ絞りの制御絞り値がある程度以上大きい場合にのみ、絞り開放動作において、絞り停止レバー２９によって、ラチェットギヤ２３の回転を停止させて、ピン１８ａと腕１５ｆとの離間と衝突により生じるバウンドを防止すればよい。
【００６５】
レンズの絞りの開放状態（初期位置）から制御絞り値となる制御位置までの、レンズ絞りおよび絞りレバー１８の移動量が同じであっても、撮影レンズ１０１の種類によってレンズ絞りを駆動する力量や慣性力が異なるため、ピン１８ａと腕１５ｆとの離間と衝突により生じるバウンドの程度も異なる。例えば、焦点距離の長い撮影レンズと焦点距離の短い撮影レンズとを比較すると、焦点距離の長い撮影レンズの方がレンズ絞りを駆動する力量や慣性力が大きい。そこで、カメラボディの検出器１２１を介して取得した撮影レンズ１０１のレンズ情報に基づいて、絞り停止レバー２９によって、ラチェットギヤ２３の回転を停止させるか否かの判断基準となるレンズ絞りの制御絞り値（しきい値）を決定する。
【００６６】
図１１は、上述の動作をソフトウェアとして実現するためのフローチャートを示している。不図示の電源スイッチがＯＮとなると、図１１に示す処理を行うプログラムが起動されて演算回路１３０で実行される。ステップＳ３０１において、撮影レンズ１０１のレンズ情報をカメラボディの検出器１２１を介して取得してステップＳ３０３へ進む。ステップＳ３０３において、ステップＳ３０１で取得したレンズ情報に基づいて、しきい値を設定してステップＳ１０１へ進む。ステップＳ１０１からステップＳ１２１までは、第１の実施の形態で説明した図９と同じであるので、説明を省略する。
【００６７】
ステップＳ３０５において、ステップＳ１０３で算出した制御絞り値がステップＳ３０３で設定したしきい値以上であるか否かを判断する。ステップＳ３０５が肯定判断されるとステップＳ１２３へ進む。ステップＳ２０１が否定判断されるとステップＳ１２７へ進む。ステップＳ１２３以降のステップについても第１の実施の形態で説明した図９と同じであるので、説明を省略する。
【００６８】
上述したカメラの絞り制御装置の第３の実施の形態では、第１および第２の実施の形態の作用効果に加えて次の作用効果を奏する。
（１）  レンズ絞りの制御絞り値がしきい値以上の場合のみ、絞り開放動作において、絞り停止レバー２９によって、ラチェットギヤ２３の回転を停止させるように構成した。これにより、ピン１８ａと腕１５ｆとの離間と衝突により生じるバウンドを防止の必要がある場合に、適切にバウンドを防止できるので、絞りマグネットＭＧ２に電圧を印加する回数を減らして消費電力を削減できる。
（２）  カメラボディの検出器１２１を介して取得した撮影レンズ１０１のレンズ情報に基づいて、絞り停止レバー２９によって、ラチェットギヤ２３の回転を停止させるか否かの判断基準となるレンズ絞りの制御絞り値を決定するように構成した。これにより、撮影レンズの種類に応じて適切にバウンドを防止できるので、絞りマグネットＭＧ２に電圧を印加する回数を効果的に減らして消費電力を削減できる。
【００６９】
―――変形例―――
（１）  上述の説明では、円板４２に植設されたピン４２ａ，４２ｂによって絞りマグネット第１リセットレバー４８を傾動させていたが、本発明はこれに限定されない。例えば図１２に示すように、円板４２の代わりにカム６１を設け、ピン４２ａ，４２ｂに相当するカム６１の端部６１ａ，６１ｂで絞りマグネット第１リセットレバー４８を傾動させてもよい。
【００７０】
（２）  上述した第２の実施の形態と第３の実施の形態とを組み合わせてもよい。すなわち、連写時、もしくはレンズ絞りの制御絞り値が、撮影レンズ１０１の種類に応じて設定されるしきい値以上の場合に、絞り開放動作において、絞り停止レバー２９によって、ラチェットギヤ２３の回転を停止させるように構成してもよい。
【００７１】
（３）  上述の説明で用いられるカメラボディは、フィルムを使用する銀塩カメラであってもよく、撮像素子を用いて撮像するデジタルカメラであってもよい。
（４）  上述した各実施の形態および変形例は、それぞれ組み合わせてもよい。
【００７２】
以上の実施の形態およびその変形例において、たとえば、検出手段はフォトカプラ２７に、吸着・開放手段は絞りマグネットＭＧ２に、絞り停止手段は絞り停止レバー２９に、判断手段は演算回路１３０にそれぞれ対応する。絞り連動手段は、絞りレバー１８と増速ギヤ２２とおよびラチェットギヤ２３とによって実現される。解除手段は、円板４２と絞りマグネット第１リセットレバー４８と絞りマグネット第２リセットレバー４９とによって実現される。さらに、本発明の特徴的な機能を損なわない限り、本発明は、上述した実施の形態における機器構成に何ら限定されない。
【図面の簡単な説明】
【００７３】
【図１】本発明によるカメラの絞り制御装置を搭載した一眼レフカメラボディとカメラボディに装着する撮影レンズを示した斜視図である。
【図２】図１に示したカメラボディ内部の絞り制御装置の斜視図である。
【図３】ラチェットギヤ２３を係止した絞り停止レバー２９をリセットするための機構を示す図であり、撮影動作開始前（待機状態）の状態を示す。
【図４】図３に示した状態から撮影動作が開始されて、所定の絞り値で、絞り停止レバー２９がラチェットギヤ２３の回転を停止させた状態を示す図である。
【図５】図４に示す状態から撮影動作が進行して、リセット動作開始された直後の状態を示す図である。
【図６】図５に示す状態から円板４２の左旋が進行して、絞りマグネットＭＧ２のリセット動作が終了した状態を示す図である。
【図７】図６に示す状態から円板４２の左旋が進行して、再び係合部２９ｃがラチェットギヤ車２３ｄに係合した状態を示す図である。
【図８】図７に示す状態から円板４２の左旋が進行して、ピン４２ｂによって絞りマグネット第１リセットレバー４８が左旋された状態を示す図である。
【図９】第１の実施の形態の絞り制御装置における演算回路１３０で実行されるプログラムの処理内容を示すフローチャートである。
【図１０】第２の実施の形態の絞り制御装置における演算回路１３０で実行されるプログラムの処理内容を示すフローチャートである。
【図１１】第３の実施の形態の絞り制御装置における演算回路１３０で実行されるプログラムの処理内容を示すフローチャートである。
【図１２】変形例におけるラチェットギヤ２３を係止した絞り停止レバー２９をリセットするための機構を示す図である。
【符号の説明】
【００７４】
１５  絞り連動レバー                                １８  絞りレバー
２２  増速ギヤ                                      ２３  ラチェットギヤ
２７  フォトカプラ                                  ２８，３４  アーマチャ
２９  絞り停止レバー                                ４２  円板
４２ａ，４２ｂ  ピン                                ４４  ギヤ
４８  絞りマグネット第１リセットレバー
４９  絞りマグネット第２リセットレバー
６１  カム                                          １０１  撮影レンズ
１０２  接点                                        １２１  検出器
１３０  演算回路                                    Ｍ  モータ
ＭＧ１  レリーズマグネット                          ＭＧ２  絞りマグネット
【図１】
2005202214.tif 000003
【図２】
2005202214.tif 000004
【図３】
2005202214.tif 000005
【図４】
2005202214.tif 000006
【図５】
2005202214.tif 000007
【図６】
2005202214.tif 000008
【図７】
2005202214.tif 000009
【図８】
2005202214.tif 000010
【図９】
2005202214.tif 000011
【図１０】
2005202214.tif 000012
【図１１】
2005202214.tif 000013
【図１２】
2005202214.tif 000014